Podtech/llm-jp-corpus-v4-ja_patent huggingface dataset:
(57)【要約】      （修正有）【課題】補強グラメットにより各熱交換板体の導口の耐圧強度が向上し、熱交換器の使用寿命を延長することができる高圧型板式熱交換器板体補強構造を提供する。【解決手段】複数の熱交換板体を具えた高圧型板式熱交換器において、該熱交換板体の流体導口を囲む補強グラメット（環状補強部、はとめ）を、２個ずつの交換板体間に固定し、該補強グラメットに設けた貫通口により各交換板体の導口を導通させる。補強グラメットにはさらに環状部の切り欠部、導口を設けて、各交換板体間に流体を流通させる。【選択図】図４
0003141845.tif 000002
【実用新案登録請求の範囲】
【請求項１】
複数の熱交換板体を具えた高圧型板式熱交換器の板体において、一対の熱交換板体間に形成した流体を流通する導口を囲む環状の補強グラメットを配置して各熱交換板体間に固定して流体を該補強グラメットの環状貫通口を通して流通可能とし、さらに該補強グラメットには該環状部の流体を熱交換板体間に通す切り欠部を設けたことを特徴とする高圧型板式熱交換器板体補強構造。
【請求項２】
前記補強グラメットには少なくとも一個以上の流体を熱交換板体間に通す透孔を設けたことを特徴とする請求項１記載の高圧型板式熱交換器板体補強構造。
【請求項３】
前記補強グラメットは波形状であることを特徴とする請求項１記載の高圧型板式熱交換器板体補強構造。
【考案の詳細な説明】
【技術分野】
【０００１】
本考案は、高圧型板式熱交換器板体補強構造に関する。特に、補強グラメット（はとめ状補強環）を２個ずつの交換板体間に固設して熱交換板体の流体導口の構造を補強し、こうして熱交換板体の導口と熱交換器本体の耐圧強度を向上し、及び熱交換器の使用寿命を延長することができる高圧型板式熱交換器板体補強構造に係る。
【背景技術】
【０００２】
一般の板式熱交換器は、図１に示すように、複数の第一向流伝熱板11及び複数の第二向流伝熱板12を具える。該各第一向流伝熱板11には第一接合部13及び導口15を設けられ、該各第二向流伝熱板12には第二接合部14及び導口15を設ける。該第一向流伝熱板11に設けた第一接合部13と、該第二向流伝熱板12に設けた第二接合部14は直接溶接固定する。
該第一接合部13と該第二接合部14は直接溶接固定するため、流体が該第一向流伝熱板11の導口15と該第二向流伝熱板12の導口15の間隙を流れる時、該流体の圧力が該導口15の耐圧強度より大きくなって該導口15にしばしば破裂或いは変形が発生する。これにより該向流伝熱板11、12は損傷して使用不能となってしまう。
【特許文献１】特開２００７−２４３４３号公報
【考案の開示】
【考案が解決しようとする課題】
【０００３】
本考案が解決しようとする課題は、補強グラメット（環状補強部、はとめ）を２個ずつの交換板体間に固設し、これにより熱交換板体の導口の構造を補強し、熱交換板体の導口と熱交換器本体の耐圧強度を向上し、熱交換器の使用寿命を延長する高圧型板式熱交換器板体補強構造を提供することである。
【課題を解決するための手段】
【０００４】
上記課題を解決するため、本考案は下記の高圧型板式熱交換器板体補強構造を提供する。
高圧型板式熱交換器板体補強構造は、複数の熱交換板体、流体導口を囲む補強グラメットからなり、
該熱交換板体は導口を具え、該補強グラメットは２個ずつの交換板体間に固定されて、該補強グラメットは貫通孔を具えて、該貫通孔は該２個ずつの交換板体の導口と相互に連通する。また、該補強グラメットは環状部の切り欠部を有し、該環状部の切り欠部は流体の流出口となる。該補強グラメットは、２個ずつの交換板体間に固定されて該熱交換板体の導口の構造を補強することにより、該熱交換板体の導口と熱交換器本体の耐圧強度を向上して熱交換器の使用寿命を延長することができる。
【考案の効果】
【０００５】
上記のように、本考案は流体の導口の構造を補強するため損傷しにくく、耐圧強度が高いため使用寿命を延長することができる。
【考案を実施するための最良の形態】
【０００６】
本考案のその他の特徴と長所及び達成しようとする機能と効果を明らかにするため、図を用いて以下に詳細に説明する。
図２、図３に示すように、高圧型板式熱交換器板体補強構造は複数の熱交換板体5、補強グラメット（環状補強部、はとめ）2を具える。
該各熱交換板体5は導口6を設置する。
該補強グラメット2は、該２個ずつの交換板体5間に固設し、該補強グラメット2には貫通孔22を設ける。該貫通孔22と該２個ずつの交換板体5の導口6は相互に貫通し、該補強グラメット2は環状部の切り欠部21を備え、該環状部の切り欠部21から流体を流出させる。
該補強グラメット2を該２個ずつの交換板体5間に設置することにより、該熱交換板体5及びその導口6の構造を補強することができ、こうして該熱交換板体5及びその導口6の耐圧強度を向上させ、熱交換器の使用寿命を延長することができる。
【０００７】
図４に示すように、さらに本考案は該補強グラメット2に少なくとも一個以上の透孔3を設けて、該透孔3から流体を流出させることができる。
図５に示すように、本考案はさらに環状部の切り欠部21（図示なし）を設けた補強グラメット2と少なくとも一個以上の透孔3を設けた補強グラメット2を、同時に２個ずつの交換板体5間に配置して、該環状部の切り欠部21と該少なくとも一個以上の透孔3から流体を流出させるてもよい。
図６に示すように、本考案の補強グラメット2は波形状とし、該波形状が形成する凹口4により流体流出の効果を達成することができる。
本考案の進？性と実用性を明らかにするため、以下に公知構造との比較分析を行う。公知技術？
1、流体圧力が向流伝熱板導口の破裂或いは変形を引き起こし易い。
2、耐圧力が比較的低く、しかも使用寿命も長くない。
本考案の長所？
1、導口の構造を補強するため損傷しにくい。
2、耐圧強度が向上する。
3、使用寿命を延長することができる。
【図面の簡単な説明】
【０００８】
【図１】公知の板式熱交換器の向流伝熱板組合せ指示図である。
【図２】本考案の分解指示図である。
【図３】本考案の部分組合せ平面指示図である。
【図４】本考案中補強グラメットの別種の実施指示図である。
【図５】本考案の補強グラメットを熱交換器板体間に設置する指示図である。
【図６】本考案中補強グラメットが波形状である指示図である。
【符号の説明】
【０００９】
11  第一向流伝熱板
12  第二向流伝熱板
13  第一接合部
14  第二接合部
15  導口
2  補強グラメット
21  環状部の切り欠部
22  貫通孔
3  透孔
4  凹口
5  熱交換板体
6  導口
7  阻隔ワッシャ
【図１】
0003141845.tif 000003
【図２】
0003141845.tif 000004
【図３】
0003141845.tif 000005
【図４】
0003141845.tif 000006
【図５】
0003141845.tif 000007
【図６】
0003141845.tif 000008
(57)【要約】      （修正有）【課題】建築物の基礎立ち上がり部の床下換気口に外側から容易に取り付けることができ、しかも換気口としての用途を損なうことなく外部換気口よりの火災の際に、自動的に作動する防火シャッター装置を提供する。【解決手段】建築物のコンクリート基礎の立ち上がり部に設けられた床下換気口のシャッター板を、火がまわった際に容易に燃え切れるナイロン製、ビニール製の荷造り紐によって吊り上げて固定し、火災の際に紐が燃え切れ、シャッターが自動的に垂れ下がることで火災の延焼を防止する。【選択図】図１
0003141889.tif 000002
【実用新案登録請求の範囲】
【請求項１】
建築物の基礎の立ち上がり部に設けられた床下換気口で、金属、セラミック、難燃性ゴム、難燃性プラスチックの中から選ばれた１ないし２以上の組み合わせによって作られた防火シャッター装置において、遮蔽板を可燃性のナイロン、ビニール、ナイロンポリ、ゴム、プラスチックの中から選ばれた荷造り紐又は帯状のもので換気機能を保持する為に引き上げて固定し、火災の際に紐が燃え切れることで遮蔽板は重さによって垂れ下がって、換気口を遮断するという特徴を持った、自動防火シャッター装置。
【請求項２】
遮蔽板は、一枚又は複数枚あるいは蛇腹状にすることで、折りたたんでセットした場合に、外壁より外へはみ出さないという特徴を持った請求項１記載の自動防火シャッター装置。
【請求項３】
遮蔽板が複数の場合、つなぎの蝶番部分に隙間が生じないように、１ｍｍ〜１ｃｍ程度蝶番の取り付け部分を板の内側にずらして設置することで、火炎の進入を抑えることを特徴とする請求項１記載の床下換気口、自動防火シャッター装置。
【考案の詳細な説明】
【技術分野】
【０００１】
本考案は、建築物の基礎に形成される床下換気用の換気口を、外部よりの火災の際に自動的に作用する防火シャッター装置に関する。
【背景技術】
【０００２】
木造建築、家屋等の建築物には、地面から立ち上がった基礎に切り込み状の開口部を設けた床下換気口が設置される。この床下換気口は床下や家屋内、あるいは外壁と内壁の通気を図り温度、湿度を調節し、カビの発生や木材、柱、建材の腐食を抑える為に設置されている。
【０００３】
耐火建築として外壁をコンクリートモルタル造りとし、モルタル内面に発泡スチロール等の断熱材を張り、機密性の高い住宅が数多く建築されている。
【０００４】
前述の建築物の換気口については種々提案されているが、換気口付近の外部よりの火災に的確に対応する提案はされていない。
【０００５】
換気口外部付近の火災は、家屋、建物の内壁と外壁の間の空間が焼却炉の煙突の作用を果たす為に、暖められた空気は上昇気流となって火が換気口より内部へ吸い込まれる現象となりやすく、木部、断熱材、特に断熱材表面紙製部分に燃え広がり、建物全体に短時間で火災がおよび、その結果被害が甚大になることが想定される。
【０００６】
前述の火災で、外壁内側に可燃性断熱材が使用されている場合については、火災によって有毒ガスが室内居住空間に充満することが予想され、居住者の生命が危険に晒される。
【０００７】
前述の火災では、外壁と内壁の間を燃え広がることで外部に炎が見えず、火災の外部よりの発見が遅れることとなり、人命、財産に重大な被害を与えることとなる。
【０００８】
外部モルタル造り、不燃性外壁造り等の木造建築物において、床下換気口は外部防火対策の重大な弱点となっている。
【０００９】
【特許文献１】特許第２５５１９１４号公報
【考案の開示】
【考案が解決しようとする課題】
【００１０】
本考案は、建築物の基礎立ち上がり部の換気口に、外側から容易に取り付けることができ、しかも換気口としての用途を損なうことなく外部換気口よりの火災の際に、その火によって自動的に作動し防火シャッターとして機能する、自動防火シャッター装置を提供することで課題を解決する。
【課題を解決するための手段】
【００１１】
本考案は、換気口開口部に接する土台下部面の寸法に合わせて作成され、土台自体に木ネジ、釘で取り付けられる平板と、平板に蝶番によって取り付けられるシャッター板と、平常時換気の為に引き上げられて火が入った場合に容易に燃え切れるナイロン製の荷造り紐によって構成される自動防火シャッター装置である。
【００１２】
前記装置の平板部には、図２、図４で示す通りシャッター板が作用して、垂れ下がった状態で平板とシャッター板を繋ぐ蝶番の関係で上部に隙間が出来やすく、その隙間から火炎の進入を防ぐように１〜５ｃｍ程度の火炎進入防止板を設置し、遮断効果を果たす。
【００１３】
土台下部に取り付けられる平板の寸法は、外壁までの長さになる為にシャッター板の長さが引き上げてセットした時に外壁より外へ出ないように２つ折、３つ折あるいは蛇腹状にすることで課題を解決する。
【考案の効果】
【００１４】
本考案は、施工中、施工完了後の建築物を問わず、床下換気口の開口部に取り付けることができる。
【００１５】
本考案は、床下換気口よりの火災が建物の内部に延焼する際に、荷造り紐によって吊り上げられた遮蔽板が、紐が燃え切れることで垂れ下がり、自動防火シャッターとして延焼を防ぐことができる。
【考案を実施するための最良の形態】
【００１６】
床下換気口開口部の土台裏側に、木ネジ、釘で簡単に取り付け可能で、厚さ１．５ｍｍのステンレス製部材で構成する本体部と、遮蔽板１と引き上げ用取っ手付き遮蔽板２と、これらを繋ぐ蝶番部と、折りたたんだ遮蔽板を三角形に引っ張って吊り上げ固定する為の３つの突起部と、ナイロン製荷造り紐によって構成し、紐が燃え切れることで機能するシャッター装置。
【実施例】
【００１７】
図１〜４に示すように、この実施例の床下換気口自動防火シャッター装置は、土台下部取り付け用本体部１、２と、遮蔽板３、４と本体部と遮蔽板をそれぞれ繋ぐ蝶番部５と、引っ掛け止め具６と遮蔽板吊り上げ用ナイロン製荷造り紐７と、遮蔽板引き上げ取っ手１６で構成する。
【図面の簡単な説明】
【００１８】
【図１】実施例１の荷造り紐によって引き上げられセットされた側面図
【図２】実施例１の荷造り紐が燃え切れて、遮蔽板が垂れ下がり換気口を遮断した状態の側面図
【図３】実施例１の遮蔽板が換気口を遮断した状態の正面図
【図４】実施例１の遮蔽板が換気口を遮断した状態の側面図
【符号の説明】
【００１９】
１  土台下部取り付け平板部
２  平板部取り付け遮蔽板
３  第一遮蔽板
４  第二遮蔽板
５  蝶番
６  遮蔽板引き上げセット用突起部
７  荷造り紐
８  コンクリート土台換気口
９  土台木部
１０  木ネジ
１１  外部モルタル
１２  断熱材
１３  木部
１４  換気口用網
１５  本体固定用木ネジ
１６  引き上げ用取っ手
【図１】
0003141889.tif 000003
【図２】
0003141889.tif 000004
【図３】
0003141889.tif 000005
【図４】
0003141889.tif 000006
(57)【要約】      （修正有）【課題】建築物の屋内天井面や壁面又はビル等の屋外壁面側にＬＥＤ照明を照射することで都市の景観を保存しながら建築物自体を映像的にライトアップすることができる映像表示設備を提供する。【解決手段】建築物の屋内天井面や壁面又はビル等の屋外壁面に、発光面を向けて格子状に配置された複数個のＬＥＤ照明器具１０と、ＬＥＤ照明器具を固定する棒状の支持金物１１からなる照明器具が、複数本で建築物の屋内天井面や壁面又はビル等の屋外壁面３０に設置され、ＬＥＤ照明器具を個別にコントロールすることにより大規模な図形や文字、映像イメージ等を表示することを特徴とする。【選択図】図１
0003141819.tif 000002
【実用新案登録請求の範囲】
【請求項１】
建築物の屋内天井面や壁面又はビル等の屋外壁面に、発光面を向けて格子状に配置された複数個のＬＥＤ照明器具と、ＬＥＤ照明器具を固定する棒状の支持金物からなる照明器具が、複数本で建築物の屋内天井面や壁面又はビル等の屋外壁面に設置され、ＬＥＤ照明器具を個別にコントロールすることにより大規模な図形や文字、映像イメージ等を表示することを特徴とする映像表示設備。
【請求項２】
請求項１において、建築物の屋内天井面や壁面又はビル等の屋外壁面に発光面を向けて、とはＬＥＤ照明器具の照射角範囲が、建築物の屋内天井面や壁面又はビル等の屋外壁面に向けられ照射されることを特徴とする映像表示設備。
【考案の詳細な説明】
【技術分野】
【０００１】本考案は建築物の屋内天井面や壁面又はビル等の屋外壁面に、発光面を向けて格子状に配置された複数個のＬＥＤ照明器具と、ＬＥＤ照明器具を固定する棒状の支持金物からなる照明器具が、複数本で建築物の屋内天井面や壁面又はビル等の屋外壁面に設置され、ＬＥＤ照明器具を個別にコントロールすることにより大規模な図形や文字、映像イメージ等を表示することを特徴とする映像表示設備に関する。
【技術背景】
【０００２】通常の屋外ネオン看板や大型ディスプレイは直接光源を基本としている。
【０００３】上記の背景より、見る人は光源を直接視認するため光のみが際立ち、設置されている建築物や都市の景観に馴染まないという現状がある。
【考案の開示】
【考案が解決しようとする課題】
【０００４】本考案は上記問題にかんがみ、建築物の屋内天井面や壁面又はビル等の屋外壁面側にＬＥＤ照明を照射することで都市の景観を保存しながら建築物自体を映像的にライトアップすることができる映像表示設備を提供することを目的とする。
【課題を解決するための手段】
【０００５】上記課題に対し、建築物の屋内天井面や壁面又はビル等の屋外壁面に、発光面を向けて格子状に配置された複数個のＬＥＤ照明器具と、ＬＥＤ照明器具を固定する棒状の支持金物からなる照明器具が、複数本で建築物の屋内天井面や壁面又はビル等の屋外壁面に設置され、ＬＥＤ照明器具を個別にコントロールすることにより大規模な図形や文字、映像イメージ等を表示することを特徴とする映像表示設備を考案する。【０００６】上記の、建築物の屋内天井面や壁面又はビル等の屋外壁面に発光面を向けて、とはＬＥＤ照明器具の照射角範囲が、建築物の屋内天井面や壁面又はビル等の屋外壁面に向けられ照射されることを特徴とする。【０００７】また、格子状に配置された、とはＬＥＤ照明器具のひとつの照射範囲が、映像を映し出す画面の１ピクセルを表すため、設置されている面全体の視認性を踏まえ、ひとつの照射範囲は可変的に１平方メートル以下とし、建築物の屋内天井面や壁面又はビル等の屋外壁面との距離も可変的に数十センチメートルとなることを特徴とする。【０００８】そして、棒状の支持金物、とは設置箇所の支持部が最小限の大きさとなり、ＬＥＤ照明器具を固定するものであることを特徴とする。【０００９】さらに、ＬＥＤ照明器具を個別にコントロールする、とはＬＥＤ照明器具が直結に接続され、数万個を最大とし、色の変化、点灯又は消灯もしくは調光の状態を個別にコントロールすることによって大規模な図形や文字、映像イメージ等を建築物の屋内天井面や壁面又はビル等の屋外壁面に表示することを特徴とする。【００１０】さらに他に、建築物の屋内天井面や壁面又はビル等の屋外壁面への負荷を小さくするため、ＬＥＤ照明器具は既成品で構わないが、小型で数百万以上の色の範囲を持っていることを特徴とする。
【考案の効果】
【００１１】本考案によれば、既存建築物の屋外の外壁に設置した場合は、建築物の持つ外観の表情を豊かにするため、既存建築物の再生による長寿命化、準歴史的建築物の保護、新たな都市景観の形成による地域の活性化などが考えられ、駅や空港などの公共建築物の屋内壁や天井に設置した場合は、日常情報や災害情報の提供やメディアアートなどによる文化芸術の発信と発展などが考えられ、商業建築物の屋内の壁や天井に設置した場合は、商品の販売促進、建築物を含む店舗のブランド化、経済発展などが考えられる。変化のある演出的なライトアップ、広告やアートなどの映像イメージの表示、ニュースや天気予報などの文字情報の表示、などの活用が考えられる。
【考案を実施するための最良の形態】
【００１２】以下、添付図面を用いて本考案の実施の最良の形態を説明する。図１は本考案を建築物の屋外壁面に設置した様子と一実施例を示す図である。支持部を含む支持金物は、それら自体が構造となるような素材が最良となり、ＬＥＤ照明器具は支持金物と固定される。また、図１の左上に示す図の拡大部分はＬＥＤ照明器具がそれぞれの照射範囲を持ち、それぞれの照射範囲が少しずつ重なることで、全体として滑らかな照明のグラデーションとなることを表している。そして、支持部はＬＥＤ照明器具同士の中間に設ける。図中に矢印で示している通り、ＬＥＤ照明器具の発光面を建築物の屋内天井面や壁面又はビル等の屋外壁面に向ける。【００１３】図２は本考案の他の実施例を示す斜視図である。基本的に図１の形態と同様であるが、建築物の屋内天井面に設置した場合、ひとつのＬＥＤ照明器具の照射範囲の数が図１よりも少ないため解像度はさらに粗いが、単純なアラビア数字やローマ字などの形ならば表示することができる。【００１４】図３は本考案の更に他の実施例を示す図である。建築物の屋内壁面に設置した場合、図２同様にアラビア数字やローマ字を壁面に表示することができる。
【図面の簡単な説明】
【００１５】
【図１】本考案の設置の様子と一実施例を示す図である。
【図２】本考案の他の一実施例を示す図である。
【図３】本考案の更に他の実施例を示す斜視図である。
【符号の説明】
【００１６】１０ＬＥＤ照明器具  １１支持部  １２照明器具
２０照射範囲
３０屋外壁面  ４０建築物  ５０屋内天井面  ５１屋内壁面  ５２屋内床面
【図１】
0003141819.tif 000003
【図２】
0003141819.tif 000004
【図３】
0003141819.tif 000005
(57)【要約】      （修正有）【課題】ゴルフのクラブ及びパターの頭部にマーカーを収納してプレーをする場合にマーカーを落とす事を回避する。【解決手段】ゴルフのクラブ及びパターの、グリップ頭部２にマーカー５が収納出来る凹み３を設け、マーカー５がグリップの頭部２より出っ張らないように、またすぐ抜け落ちない様きつめの経に設定し、その凹み３に、マーカー５を外す時に外し易いすいように、爪が入る開口部４を設けた、マーカー収納部付き、クラブ及びパターのグリップ１。【選択図】図１
0003141816.tif 000002
【実用新案登録請求の範囲】
【請求項１】
ゴルフのパター及びクラブのグリップ（１）の頭部（２）にマーカー（５）が収納出き、グッリップ（１）の面より出ないよう凹み（３）を設け、マーカーを爪で外し易い様に開口部（４）を設けた、マーカー収納部付きゴルフのクラブ及びパターのグリップ（１）。
【考案の詳細な説明】
【技術分野】
【０００１】    ゴルフのクラブ及びパターのグリップの頭部のマーカー収納に関するものである。
【考案が解決しょうする課題】
【０００２】    ゴルフのクラブ及びパターの頭部にマーカーを装着して持ち運ぶが、いつの間にか紛失する事が良くある、特にパークゴルフの場合はパター１本でプレーをするので紛失の度合いが多い、それはマーカーがグリップより出ているし、マーカーの装着部が緩いからである。
【課題を解決する為の手段】
【０００３】いま其の構成を説明すると、
１  マーカーが出張らない様にグッリプ（１）の頭部（２）に凹み（３）を設け、頭部（２）よりマーカー（５）が出っ張らないように設定する。
２  凹み（３）はマーカー（５）がすぐ抜け落ちないよう、少しきつめの経に設定する。
３  凹み（３）に、マーカー（５）を取り外す時、取り易い様に、爪が入る、開口部（４）を設ける。
以上から成るマーカー収納部付き、クラブ及びパターのグリップ。
【考案の効果】
故にマーカーをグリップの頭部に装着した場合マーカーは脱落せず、また取り外すときは容易に外す事が出来ものである。
【記号の簡単な説明】
１  グリップ
２  グリップ頭部
３  凹み
４  開口部
５  マーカー
【図１】
0003141816.tif 000003
【手続補正書】
【提出日】平成20年3月14日(2008.3.14)
【手続補正１】
【補正対象書類名】明細書
【補正対象項目名】全文
【補正方法】変更
【補正の内容】
【考案の詳細な説明】
【技術分野】
【０００１】  ゴルフのクラブ及びパターのグリップの頭部のマーカー収納に関するものである。
【考案が解決しょうする課題】
【０００２】  ゴルフのクラブ及びパターの頭部にマーカーを装着して持ち運ぶが、いつの間にか紛失する事が良くある、特にパークゴルフの場合はパター１本でプレーをするので紛失の度合いが多い、それはマーカーがグリップより出ているし、マーカーの装着部が緩いからである。
【課題を解決する為の手段】
【０００３】いま其の構成を説明すると、
１  マーカーが出張らない様にグッリプ（１）の頭部（２）に凹み（３）を設け、頭部（２）よりマーカー（５）が出っ張らないように設定する。
２  凹み（３）はマーカー（５）がすぐ抜け落ちないよう、少しきつめの経に設定する。
３  凹み（３）に、マーカー（５）を取り外す時、取り易い様に、爪が入る、開口部（４）を設ける。
以上から成るマーカー収納部付き、クラブ及びパターのグリップ。
【考案の効果】
【０００４】  故にマーカーをグリップの頭部に装着した場合マーカーは脱落せず、また取り外すときは容易に外す事が出来ものである。
【図面の簡単な説明】
【０００５】
【図１】  グリップ頭部の斜視図である。
【記号の説明】
【０００６】  １  グリップ      ２  グリップ頭部      ３  凹み    ４  開口部
５  マーカー
(57)【要約】      （修正有）【課題】プレーに集中させる手段、方法が必要および重要。【解決手段】帽子のつば裏側にゴルフワンポイントアドバイスシールを貼り付け、プレー前・プレー中に容易に確認することができ、プレーに集中させる一つの手段である。【選択図】図１
0003141817.tif 000002
【実用新案登録請求の範囲】
【請求項１】
帽子のつばの裏側に記入用紙の挿入および直接記入できる添付用シール
【考案の詳細な説明】
【技術分野】
【０００１】  本考案は、帽子のつばの裏側にアドバイスを記入した用紙の挿入および直接記入できる添付用シールである。
【背景技術】
【０００２】  ゴルフプレーにおいてアドバイスを表示できる方法、添付場所はないものか考えました。
【考案の開示】
【考案が解決しようとする課題】
【０００３】  指導、アドバイスを受けプレーを行うが、プレー中にそれらが十分に生かされていない。
【課題を解決するための手段】
【０００４】  本考案は、プレーと一体となった形でアドバイスを自身の目で容易に確認できることが可能である。
【考案の効果】
【０００５】  上述の様に、自然かつ容易な形でアドバイスを見ることが可能で集中力が高まり、プレーにおいて有効・有意義となる。
【考案を実施するための最良の形態】
【０００６】  プレー前・プレー中にかかわらず、身につけたもので帽子のつば裏側への添付が最適だと考えられる。
【実施例】
【０００７】  以下、添付図面により実施例を説明する。
添付シールは、粘着シールにより帽子裏側のつばに貼り付けできるものである。
シールには、記入用紙の挿入できるものおよび直接記入ができるものである。
【図面の簡単な説明】
【０００８】
【図１】本考案の添付用ゴルフワンポイントアドバイスシールの実施例を示す正面図である。
【符号の説明】
【０００９】  １帽子裏側全体
２帽子裏側つばに貼り付けた添付用ゴルフワンポイントアドバイスシール
【図１】
0003141817.tif 000003
(57)【要約】      （修正有）【課題】折り畳式携帯電話の本体に印鑑を装着し、収納できる収納室を設けることにより、印鑑を常時携行しやすく且つ、本体に装着収納したままでの捺印を可能にし、突発性の捺印時に対応できるようにすることにより、利便性の向上を図る。【解決手段】折り畳式の携帯電話を構成する本体通信機部１、液晶画面部１ａを連結する蝶開ヒンジ部２の内部に収納室３を設け、その収納室３に印鑑４を粘着シートにより装着収納し、朱肉を内底に嵌め込んだゴムキャップ５を収納口外壁に覆着し閉蓋する。【選択図】図１
0003141870.tif 000002
【実用新案登録請求の範囲】
【請求項１】
折り畳み式携帯電話の本体を連結するヒンジ部分の内部に収納室を設け、当該収納室に短径に調整加工した印鑑を、粘着シートにより装着収納するようにし、常時携行できるところを特徴とする印鑑を内蔵した携帯電話。
【請求項２】
折り畳み式携帯電話の本体を連結するヒンジ部分を、最小限縮小して設けることにより、本体の側面とヒンジ部との間に、印鑑等の物品を収納することができる収納室を設けたことを特徴とする請求項１記載の印鑑を内蔵した携帯電話。
【請求項３】
収納室内部に装着する印鑑且つ、朱肉を粘着シートにて粘着し収納することにより、着脱自在な部材となり、印鑑の刻印部を各人の姓名に合せて装着でき且つ、印鑑の不収納時には小物入れとして利用できることを特徴とする請求項１記載の印鑑を内蔵した携帯電話。
【考案の詳細な説明】
【技術分野】
【０００１】
本考案は、折り畳式携帯電話の中央に有するヒンジ部分の内部に、収納室を設け、印鑑を装着収納し携行することのできる携帯電話に関するものである。
【背景技術】
【０００２】
従来の折り畳式携帯電話の使用形態は、本体の中央に有する蝶開ヒンジを介し開閉し、通話、電子メール、の通信や搭載機能により写真撮影等を行う為の機器として使用するものであり、本体内部に印鑑等の物品を収納し携行するものはなかった。
【考案の開示】
【考案が解決しようとする課題】
【０００３】
前述の様に、従来の携帯電話の使用形態である通話、電子メール、写真撮影等の機能の他に、本体内部に印鑑を収納できる空間を設け、印鑑を装着収納し携行することにより、新たな用途を付加し利便性を高めようとするものである。
【課題を解決するための手段】
【０００４】
本考案は、折り畳み式携帯電話の本体中央に有し、本体を開閉する支点となるヒンジ部の連結部分を本体の中央に縮小して設けることにより、本体の側面とヒンジ部との間に確保した空間の内部に、収納室を設け本体側面の収納口より印鑑を装着収納し、朱肉付ゴムキャップにより閉蓋することで問題点を解決するものである。
【考案の効果】
【０００５】
上述の様に、本考案の印鑑を内蔵した携帯電話は、日常に於いて携行頻度の高い携帯電話に印鑑を収納し、組み合わせ携行することにより、不意に発生する捺印の必要時に対応でき便利である。
【考案を実施するための最良の形態】
【０００６】
本体通信部と液晶画面を有する筐体とを連結する蝶開ヒンジ部からなる折り畳式携帯電話のヒンジ部を、本体連結部の中央に最小限縮小して設けることにより、ヒンジの末端と本体側面との間に物品を収納できる収納室を設け、短径に加工した印鑑を収納室内底に設けた粘着シートにより装着収納し、且つ、刻印部を収納口の表面より多少突出する程度の長さに印鑑本体の直径を調整加工し、装着することにより、印鑑を携帯電話本体に装着収納したままでの捺印が可能となり、装着した印鑑の係脱を防止する手段として内底に朱肉が嵌め込まれた伸縮性のゴムキャップを、収納室外壁に覆着し閉蓋する。また、収納室内に装着収納する印鑑、朱肉、粘着シートは、それぞれ着脱可能であることにより、後付けの部材とすることが可能である。
【実施例】
【０００７】
以下、添付図面に従って一実施例を説明する。１は本体通信機部、１ａは本体に連結する液晶画面部で、２は本体通信機部１と液晶画面部を連結し開閉自在とする蝶開ヒンジ部である。以上の構成からなる携帯電話の蝶開ヒンジ部２を、本体連結部の中央に最小限縮小して設けることにより、蝶開ヒンジ部２の末端と本体の側面との間に物品を収納できる収納室３を設け、短径に加工した印鑑４を、収納室３の内底に設けた粘着シートにより装着収納し、且つ、刻印部を収納口３ａの表面より多少突出する程度の長さに印鑑４本体の直径を調整加工し、装着することにより、印鑑４を携帯電話本体に装着収納したままでの捺印が可能となり、装着した印鑑４の係脱を防止する手段として、朱肉６が内設された伸縮性のゴムキャップ５を収納室３の外壁に覆着し閉蓋する。
【０００８】
本考案の一実施例は上述の構成からなるものであるから、ゴムキャップ５により閉蓋される収納室３の内部に印鑑４、朱肉６、粘着シート７これらの部材を装着し捺印する用具として使用できることは勿論であるが、収納室３内部構成の係合を解き、前述の部材である印鑑４、朱肉６、粘着シート７を係脱した状態での収納室の利用も可能である。
【図面の簡単な説明】
【０００９】
【図１】本考案の印鑑を内蔵した携帯電話の一実施例を示す斜視図である。
【図２】本印鑑を内蔵した携帯電話の実施例を示す一部切欠平面図である。
【図３】本印鑑を内蔵した携帯電話の収納室要部の詳細を示す一部切欠斜視図である。
【符号の説明】
【００１０】
１  本体通信機部
１ａ  本体液晶画面部
２  蝶開ヒンジ部
３  収納室
３ａ  収納口
４  印鑑
５  ゴムキャップ
６  朱肉
７  粘着シート
【図１】
0003141870.tif 000003
【図２】
0003141870.tif 000004
【図３】
0003141870.tif 000005
(57)【要約】【課題】大きな回転出力を必要としないで、削孔を掘り進む。【解決手段】掘削機１のアースオーガの先端掘削ヘッドＡは、最先端部の複数の先端ビット８を取り付けた第１掘削部６と、前記第１掘削部６よりも大径を成し、螺旋形状の掘削刃９の周縁部に複数個の切削ビット１０を備えた第２掘削部７とからなる。第１掘削部６によって小径Ｄ２の削孔Ｂを掘削し、続いて第２掘削部７の掘削刃９によって徐々に径Ｄ１を拡大しながら掘削する。二段階に径Ｄ１を拡大して掘削するため、大きな出力が必要ない。【選択図】図１
0003141867.tif 000002
【実用新案登録請求の範囲】
【請求項１】
最先端部の複数の掘削ビットを取り付けた第１掘削部と、
前記第１掘削部よりも大径を成し、螺旋形状の掘削刃の周縁部に複数個の掘削ビットを備えた第２掘削部からなる
アースオーガの先端掘削ヘッド。
【請求項２】
第２掘削部の螺旋状の掘削刃は、その周縁部が回転の中心から徐々に離隔して大きくなることを特徴とする請求項１記載のアースオーガの先端掘削ヘッド。
【考案の詳細な説明】
【技術分野】
【０００１】
本考案は、地盤に削孔を掘削するための、アースオーガの先端に取付ける掘削ヘッドに関するものである。
【背景技術】
【０００２】
地盤を掘削して削孔を形成する装置としてアースオーガが存在する。
このアースオーガとして、特開２００１−１６４８６１号公報に記載されたようなものが開発されている。
アースオーガは、オーガスクリューの先端に複数のビットを備えたスクリューヘッドが取付けられており、地盤をスクリューヘッドで掘削しながら、掘り進むものである。
【０００３】
しかしながら、先端のスクリューヘッドが、同公報記載の考案のように最先端部分から大径となっている場合、これを回転して掘削するには大きな力（動力）が必要となる。
大きな出力を得るために、モーターなどを大きくすると、装置全体が大きくなり、また大きな騒音の発生などの課題がある。
【特許文献１】特開２００１−１６４８６１号公報
【考案の開示】
【考案が解決しようとする課題】
【０００４】
解決しようとする課題は、アースオーガの先端のヘッドによって掘削するのに、大きな出力が必要なことと、掘削性が良好でなかったことである。
【課題を解決するための手段】
【０００５】
この考案にかかるアースオーガの先端掘削ヘッドは、
最先端部の複数の掘削ビットを取り付けた第１掘削部と、
前記第１掘削部よりも大径を成し、螺旋形状の掘削刃の周縁部に複数個の掘削ビットを備えた第２掘削部からなるものである。
また、他のアースオーガの先端ヘッドは、
第２掘削部の螺旋状の掘削刃は、その周縁部が回転の中心から徐々に離隔して大きくなるものである。
【考案の効果】
【０００６】
本考案は以上のような構成を有し、以下の効果の少なくとも一つの効果を達成するものである。
＜ａ＞先端掘削ヘッドは、第１掘削部と、それより大径の第２掘削部よりなり、第１掘削部によって先に小径の孔を掘削し、その後、第２掘削部によって、孔の孔壁を削るように、２段階で掘削して削孔を形成するため、回転のための大きな出力が必要でない。
従って、装置が大掛かりとならず、大きな騒音などの発生の心配もない。
＜ｂ＞第２掘削部は螺旋状の掘削刃となっているため、回転に伴って地盤に進入し易く、
より小さな出力で良好な掘削性を得ることができる。
＜ｃ＞第２掘削部の螺旋状の掘削刃は、その周縁部が回転に中心から徐々に離れるため、徐々に大きく孔壁を削り落していくように進行し、その掘削の出力がより小さいものでも良好な掘削性を得ることができる。
【考案を実施するための最良の形態】
【０００７】
この考案にかかるアースオーガの先端掘削ヘッドは、小さな径の第１掘削部と、それよりも大きな径となる第２掘削部とから成るものである。
【実施例１】
【０００８】
＜１＞  アースオーガ掘削機の全体の構成
アースオーガ掘削機１は、上下方向に起立するポスト２に沿ってレール３が取付られ、そのレール３に沿ってモーター４が上下移動する。
モーター４によって回転駆動可能なようにオーガスクリュー５が取り付けられ、そのオーガスクリュー５の先端（下端）に、本考案にかかる掘削ヘッドＡが取付けられている。
【０００９】
＜２＞  掘削ヘッド
掘削ヘッドＡは、第１掘削部６と第２掘削部７とから構成されている。
【００１０】
＜３＞第１掘削部
第１掘削部６は、掘削軸１１の先端部に設けられ、掘削予定の削孔Ｂの径Ｄ１よりも小さい径Ｄ２を有している。
第１掘削部６の先端には、先端ビット８が複数個取付けられている。
ビット８は、先端が摩耗に耐えるようにタングステン製で、弾丸形をしており、ヘッドＡに形成された孔に嵌めこまれている。
【００１１】
＜４＞第２掘削部
第２掘削部７は、掘削軸１１の外周に、螺旋形状の掘削刃９を有している。
掘削刃９の周縁部には、複数個の切削ビット１０を備えている。
掘削刃９は、その周縁部が、先端（下端）からオーガの回転中心から徐々に離隔して、最終的に削孔Ｂの径Ｄ１の半分（半径分）離隔している。
切削ビット１０は、適宜間隔・高さづつ離れて掘削刃９の周縁部に形成した孔に嵌めこまれている。
ビット１０の先端は、掘削刃９の周縁部から若干外側に突出している。
図３及び図４に示すように、ビット１０と次のビット１０とは、高さｈづつ離れて配置されている。
実施例では、１０ｃｍづつ軸方向へ離隔して、ビット１０が配置されている。
この第２掘削部７は、第１掘削部６が掘削した削孔Ｂの径Ｄ２を、掘削刃９の周縁部のビット１０によって徐々に大きく径を拡大して、最終的に径Ｄ１の削孔Ｂを掘削するものである。
【００１２】
＜５＞掘削作業
オーガ掘削機１のモーター４を回転して、先端掘削ヘッドＡを地盤に向って掘削進行させる。
まず、第１掘削部６の先端ビット８が、地盤に小径Ｄ２の削孔Ｂを掘削し、続く第２掘削部７の掘削刃９の切削ビット１０が、孔壁を削り取るように徐々に径を拡大しながら、削孔Ｂを掘削する。
掘削ヘッドＡに続いて、所定の径Ｄ１までになった削孔Ｂの中に、オーガスクリュー５が進入する。
【実施例２】
【００１３】
図の実施例では、一枚の螺旋状の掘削刃９が掘削軸１１の外周に取付けられているが、螺旋状となった掘削刃９の間に、別の螺旋状刃を設けてもよい。
実際は、３枚の螺旋状の刃が、互いに間に入り込むように掘削軸の周囲に設けることが、掘削時のバランスを取るのに有効である。
【図面の簡単な説明】
【００１４】
【図１】掘削ヘッドの斜視図
【図２】掘削ヘッドの底面図
【図３】ビットの配置を示す平面図
【図４】ビットの高さ位置を示す側面図
【図５】アースオーガ掘削機の全体構成図
【符号の説明】
【００１５】
Ａ  掘削ヘッド
Ｂ  削孔
１  アースオーガ掘削機
２  ポスト
３  レール
４  モーター
５  オーガスクリュー
６  第１掘削部
７  第２掘削部
８  先端ビット
９  掘削刃
１０  切削ビット
【図１】
0003141867.tif 000003
【図２】
0003141867.tif 000004
【図３】
0003141867.tif 000005
【図４】
0003141867.tif 000006
【図５】
0003141867.tif 000007
(57)【要約】      （修正有）【課題】焼き物の調理法に変化のある調理用具を提供するとともに、繰り返しの使用に耐えることができる陶製の焼き網を提供する。【解決手段】網状になっている部位と陶板状になっている部位が配置され、食材によってそれぞれに適した部位を使い、焼きの調理を進めていくことができる。また、膨張圧力を均一にするためのデザインと、膨張圧力を逃す部位であるスリット１と網、また、抑えるための部位であるえん堤によって耐久性のある構造を可能にした。【選択図】図１
0003141803.tif 000002
【実用新案登録請求の範囲】
【請求項１】
全体が円盤形で、その外周部は、平面にえん堤を設け、スリットを一箇所設けてある。その中央部は盛り上げて網目を付け、外側から入っているスリットと連続している陶製の焼肉用網。
【考案の詳細な説明】
【考案の詳細な説明】
【技術分野】
【０００１】  本考案は、七輪やコンロなどで、焼肉をするときに使用する陶製の焼き網である。
【背景技術】
【０００２】  従来の焼き網は、すべて金属製であり、単に焼くための道具ということで、実用だけの範囲に収まっていた。その焼き上がりはどうかといえば、食材の表面だけが乾燥し、タイミングを逃すと焦げ付く。その焦げは、連続して使用するときに次の肉や、食材に付着しやすく、美味しく食べる妨げとなりやすかった。そのため、１回の食事に何回か焼き網を交換することがよくおこなわれている。また鉄板も焼き網も黒色だけで、変化のないものであった。
【考案の開示】
【考案が解決しようとする範囲】
【０００３】  焼き続ける過程で食材に付着する焦をできるだけ少なくすることで、食べている途中に網を交換しなくともよくする。表面の乾燥を緩やかにすることで、野菜類を同時に焼くとき、特に玉ねぎやかぼちゃなどで表面だけが先に焦げてしまうことがないようにする。
また、焼網の多様性、デザイン、色彩を楽しみながら食する。
【問題を解決するための手段】
【０００４】  本考案は、上述の課題を解決するために、次のような手段をとっている。第１に陶器で焼き網を作るということ。今まで陶製の焼き網が存在しなかった理由は、耐久性の問題であった。これを陶土の調合と１１５０度の焼成温度、また、熱膨張率を外部に均一に逃すための構造にした。これによって高温に直接さらしても、繰り返しの使用が可能になった。さらに円形の焼き網の外周にスリットを入れることで、膨張圧力を吸収することができる。硬くて、もろい陶器はそれだけで十分な対策にはならず、均一な膨張圧力にするため、円形にしている。
さらに、中央部はドーム型の網目状になっているため、周囲から中心に向かってくる膨張圧力を網目の隙間が吸収し、さらに上部への盛り上がり圧力となり、拡散することができる。この構造によって耐久性が増し、繰り返しの使用に耐えられる陶器製の焼き網を作ることが可能になった。
【考案の効果】
【０００５】  熱により遠赤外線を発生させる陶製の焼き網は、食材の均一な温度上昇を助けることが可能になった。そのため表面だけが焦げ付き、内部は熱が通っていない状況は起こりにくい。さらに金網と違い、直火が当たる面積が少ないため、乾燥しにくく、ジューシイーな食材の焼き上がりを実現できる。また焼肉に付着する焦げは陶網の表面に強く付着するため、食材のほうには移りにくい性質がある。そのため途中で取り替えることなく、雰囲気を持続して食事を楽しむことができる。陶器を材料にすることにより、基本構造を守りながらもその範囲内で、色々なデザインや色彩を可能にする。焼く物に合わせ、また、好みに合わせて黒や白、その他の色を選択することができ、焼肉に道具を楽しむ要素も加えることができる。
【考案を実施するための最良の形態】
【０００６】  各家庭の庭で焼肉パーティをする。また、焼肉専門店で個別の七輪を用いた形での使用に適している。
【具体的実施例】
【０００７】  ６年前から製造し、検証を重ね２００軒ほどの家庭で使用実績があり、札幌市内の焼肉専門店で２ヶ前から使用し、その効果を実証してきた。
【製作実施例】
【０００８】  本考案は粘土で９ｍｍのたたら板を作り、型紙で切り出し、それを石膏型にかぶせて成型する。乾燥後７５０度で素焼きし、次に好みの色彩にするため土鍋用釉薬をかけ、１１５０度で本焼きにする。製品直径３０センチ、中央部高さ５センチになる。
【構造の説明】
【０００９】  図１の１、スリットにより、加熱時の膨張圧力を吸収する。さらに、図２の網部の盛り上がりによって圧力は、上方に分散する。また、図１の２、えん堤により上下からの衝撃やねじれに強度を与える。
【図面の簡単な説明】
【０００１０】
【図１】  本考案の平面図である。
【図２】  Ａ−Ａ線矢視断面図である。
【符号の説明】
１、１    スリット
１、２    えん堤
１、３    網
１、４    網穴
【図１】
0003141803.tif 000003
【図２】
0003141803.tif 000004
(57)【要約】【課題】従来の引磬の柄の形状を工夫し、なるべく、力を必要とせずに保持できる構造の引磬が求められていた。加えて、できれば、在家の仏壇に利用されるおりんとしても、併用できる構造の引磬が求められていた。【解決手段】お鈴に指輪を取り付けたことを特徴とする引磬を考案した。引磬本体の柄の部分を従来のリング形状を握り部として利用するのではなく、より小さい内径３５ミリ以内のリング形状の指輪とした。また、脱着可能なりん台を考案して、仏前のおりんとしての併用を可能とした。【選択図】  図１
0003141802.tif 000002
【実用新案登録請求の範囲】
【請求項１】
お鈴に指輪を取り付けたことを特徴とする引磬
【請求項２】
指輪の内径が３５ミリ以内である請求項１の引磬
【請求項３】
引磬に脱着可能なりん台を設けたことを特徴とする請求項１または２の引磬
【請求項４】
引磬に座布団を有することを特徴とする請求項１、２または３の引磬
【請求項５】
引磬を打鳴らすための鈴棒を付帯する機構を設けたことを特徴とする請求項１，２，３または４の引磬
【請求項６】
請求項５の付帯方法が磁力による付帯方法であることを特徴とする請求項５に記載の引磬
【考案の詳細な説明】
【技術分野】
【０００１】
本発明は宗教用具の引磬に関するものである。
【背景技術】
【０００２】
引磬は宗教的な道具であり、祭事の際に柄を持って打ち鳴らすものである。
特願２００３−１９６４７に見られるように、柄の中に鈴棒を収納できるように工夫した引磬などがある。
【０００３】
または特開平１１−３０５７６４にみられるように柄の部分で木の音が鳴るように工夫されたものがある。
【０００４】
あるいは、柄の部分をこぶしで握れるようにリング状にしてある引磬もある。
【０００５】
加えて、前記リング状の部分を水平方向に構成し、安定に設置可能な形状に工夫されたスタンド型の引磬もある。
【特許文献１】特願２００３−１９６４７
【特許文献２】特開平１１−３０５７６４
【考案の開示】
【考案が解決しようとする課題】
【０００６】
しかしながら、従来の柄がリング形状の引磬では握ったりする必要があり、保持するのに、余分な力が必要であった。
【０００７】
また、リング形状を有した前記設置型引磬にしても、設置するのは便利であるが、引磬として利用するには持ちづらく利用しにくかった。
それに、利用するに際し、通常紐などで、鈴棒をなくならないように繋いである。そのため、見栄えや使い勝手が悪いために、主に在家で使われる仏壇の仏前用おりんとして併用されることは、あまりなかった。
【０００８】
そこで、引磬として利用しやすく、できれば、同時に仏前用おりんとしても遜色なく利用できるデザイン性を兼ね備えた引磬が求められていた。
【０００９】
余分な力を必要とせず、できれば、仏前用のおりんとしても利用できる使い勝手のよい引磬が本考案の課題である。
【課題を解決するための手段】
【００１０】
お鈴に指輪を取り付けたことを特徴とした引磬とした。
引磬本体の柄の部分を従来のリング形状の握り部として利用する形状ではなく、より小さい内径３５ミリ以内の指輪とした。
【００１１】
脱着可能なりん台を設けた引磬とすることで、仏前でおりんとして併用可能とした。
【００１２】
引磬に座布団を用いることで、デザイン性を高めることができる。
【００１３】
鈴棒を付帯する機構を設けた引磬とすることで、利便性が高められる。
【００１４】
特に、引磬を打鳴らすための鈴棒を磁力により付帯する機構を設けたことを特徴とする引磬で使い勝手をよくできる。
【考案の効果】
【００１５】
内径の小さな指輪型のリング形状にしたことで、余分な力を必要とせずに、引磬を保持できるために、力の弱ったお年寄りや、手の不自由な障害者の人でも、引磬を保持できる。  
また、引磬本体と脱着可能なりん台を設けることで、引磬として利用するだけでなく、仏前などの在家用仏りんの仏前用おりんとしても利用しやすい。
座布団も付帯しているとデザイン性がよく、特に仏前用おりんとして、落ち着いた感じが出せる。
鈴棒を付帯する機構を設けることは非常に便利である。
特に磁力によって、構成してあるものは、意識せずに吸着力により、付帯できるので
便利である。
【実施例１】
【００１６】
図１は本考案の説明図である。
お鈴（１）は真鍮で構成した。特に金属等に限らず通常お鈴として利用できるものであれば限定はない。指輪（２）は３５ミリ以内のひとつの指に入る形状のリングであれば、特に問題はない。この材質は金属が好ましいが、特に金属に限らず、好みに合わせて材質を変えればよい。木や磁器など、材質は問わない。
【実施例２】
【００１７】
図２は本考案の引磬に脱着可能なりん台（３）を付帯させた引磬の説明図である。
【００１８】
りん台（３）を指輪（２）底面に穴を開けて、貫通させて、脱着可能としている。
【００１９】
この脱着可能の方法は、特に実施例の形態だけに限らず、凹面凸面を利用したものや、挟着方法など、手段に限定されるものではない。脱着方法に磁力を用いると便利である。
【実施例３】
【００２０】
図３は座布団（４）と有した引磬であって、鈴棒（５）を磁力で付帯させる磁石（６）とで構成された実施例の説明図である。鈴棒（５）に磁性体を用いることで、容易な装着が可能となる。
【図面の簡単な説明】
【００２１】
【図１】本考案の実施形態例を示す説明図である。
【図２】本考案の実施形態を示す説明図である。
【図３】本考案の実施形態を示す説面図である。
【符号の説明】
【００２２】
１        お鈴
２        指輪
３        りん台
４        座布団
５        鈴棒
６        磁石
【図１】
0003141802.tif 000003
【図２】
0003141802.tif 000004
【図３】
0003141802.tif 000005
【手続補正書】
【提出日】平成20年2月4日(2008.2.4)
【手続補正１】
【補正対象書類名】実用新案登録請求の範囲
【補正対象項目名】請求項３
【補正方法】変更
【補正の内容】
【請求項３】
脱着可能なりん台を設け仏前でおりんとして併用可能なことを特徴とする請求項１または2の引磬
【手続補正２】
【補正対象書類名】実用新案登録請求の範囲
【補正対象項目名】請求項４
【補正方法】変更
【補正の内容】
【請求項４】
前記お鈴及び前記指輪の間に座布団を有することを特徴とする請求項１,２または3の引磬
【手続補正３】
【補正対象書類名】実用新案登録請求の範囲
【補正対象項目名】請求項６
【補正方法】変更
【補正の内容】
【請求項６】
前記鈴棒を付帯する機構は磁力による機構であることを特徴とする請求項５に記載の引磬